(57)【要約】【課題】液晶表示装置の輝度低下を防ぐだけでなく、外光による表示部分の白色化を防止できる液晶表示装置を提供する。【解決手段】液晶表示装置１０は、液晶パネル１５と、この液晶パネル１５の背面から光を出射する着色光源１１と、前記液晶パネル１５と前記着色光源１１との間に配設され、この着色光源１１から出射される着色光の波長領域の光よりも、前記着色光と補色関係にある波長領域の光を、より多く吸収する光吸収層１３とを備える。光吸収層１３は、着色フィルムや着色された１／４波長板などであってもよい。【選択図】図１
2010128265.tif 000002
【特許請求の範囲】
【請求項１】
液晶層およびこの液晶層を挟んで両側に配設される一対の透明基材で構成された液晶セルと、この液晶セルを挟んで両側に配設される一対の偏光板とを備える液晶パネルと、
この液晶パネルの背面から光を出射する着色光源と、
前記液晶パネルと前記着色光源との間に配設され、この着色光源から出射される着色光の波長領域の光より、前記着色光と補色関係にある波長領域の光を、より多く吸収する光吸収層と、
を備える液晶表示装置。
【請求項２】
請求項１の液晶表示装置において、液晶パネルの光透過率が１３％以上である液晶表示装置。
【請求項３】
請求項１または２の液晶表示装置において、光吸収層の光吸収率に関し、波長領域５８０〜７８０ｎｍの光吸収率（Ａ）に対する、波長領域４００〜４８０ｎｍの光吸収率（Ｂ）の割合（Ｂ）／（Ａ）が、２倍以上である液晶表示装置。
【請求項４】
請求項１から３のいずれか一項の液晶表示装置において、光吸収層が、着色フィルムである液晶表示装置。
【請求項５】
請求項４の液晶表示装置において、光吸収層がさらに１／４波長板を含み、この１／４波長板は、着色フィルムの着色光源側または液晶パネル側のいずれか一方の面に、接着により配設されている液晶表示装置。
【請求項６】
請求項５の液晶表示装置において、着色フィルムの液晶パネル側に１／４波長板が配設されるとともに、着色フィルムが、等方性であるか、または液晶パネルの偏光板の光軸と一致している一軸性である液晶表示装置。
【請求項７】
請求項１から３のいずれか一項の液晶表示装置において、光吸収層が着色された１／４波長板であり、かつこの着色１／４波長板が、接着により、液晶パネルの着色光源側に配設された偏光板と隣接して配設されている液晶表示装置。
【請求項８】
請求項１から７のいずれか一項に記載の液晶表示装置を用いたインフォメーションディスプレイ。
【発明の詳細な説明】
【技術分野】
【０００１】
本発明は、外光によって生じる表示色の白色化を防止することができる液晶表示装置、およびこれを用いたインフォメーションディスプレイに関する。
【背景技術】
【０００２】
ＳＴＮ（Super Twisted Nematic）方式の液晶表示装置は、電卓、デジタル時計、オーディオ装置、車載用インスツルメンツパネルなどの安価性、低消費電力性が求められる各種表示機器において広く使用されている。したがって、このような分野でＳＴＮ方式の液晶表示装置を用いる場合、低消費電力化を実現するために、液晶表示装置の液晶パネルの透過率を上昇させ、液晶表示に用いられるバックライトを低減することが試みられている。
【０００３】
しかし、液晶パネルの透過率が上昇すると、それに伴って外光のバックライトでの反射光量が増加してしまい、その結果表示画面においては、表示部分の白色化などの現象が発生し、表示装置の視認性が悪化してしまう。
【０００４】
そこで、特許文献１には、液晶表示装置の視認性を向上するために、ハードコート層および低屈折率層を積層し、波長５５０ｎｍにおける反射率が０．８％以下で、かつ波長４３０〜７００ｎｍにおける反射率が１．２％以下である光学積層フィルムを偏光板の保護フィルムとして用い、野外において用いられる液晶表示装置の反射防止性能を向上することが記載されている。
【０００５】
【特許文献１】特開２００５−３７９２７（特許請求の範囲、段落番号［０００２］）
【発明の開示】
【発明が解決しようとする課題】
【０００６】
しかしながら、特許文献１に記載された光学積層フィルムでは、光吸収性の高い光学積層フィルムを用いるため、外光による表示部分の白色化は防止できるが、それと同時にバックライトからの光も吸収してしまうため、液晶パネルとしての光透過性は低減する。その結果、輝度を高めるためにバックライトを増加する必要が生じてしまい、消費電力を低減することはできなくなる。
【０００７】
従って、本発明の目的は、液晶表示装置の輝度低下を防ぐだけでなく、外光による表示部分の白色化を防止できる液晶表示装置を提供することである。
本発明の他の目的は、簡単な構成であっても、輝度低下と表示部分の白色化の双方を抑制することができる液晶表示装置を提供することである。
【課題を解決するための手段】
【０００８】
本発明者らは、前記課題を達成するため鋭意研究を行った結果、バックライトとして着色光源を利用するとともに、この着色光源と補色関係にある波長領域の光を、着色光源からの着色光よりも多く吸収する光吸収層を、液晶パネルと着色光源との間に配設すると、液晶表示装置の輝度低下を防ぐだけでなく、外光による表示部分の白色化を防止できることを見出し、本発明を完成した。
【０００９】
すなわち、本発明は、液晶層およびこの液晶層を挟んで両側に配設される一対の透明基材で構成された液晶セルと、この液晶セルを挟んで両側に配設される一対の偏光板とを備える液晶パネルと、この液晶パネルの背面から光を出射する着色光源と、前記液晶パネルと前記着色光源との間に配設され、この着色光源から出射される着色光の波長領域の光より、前記着色光と補色関係にある波長領域の光を、より多く吸収する光吸収層と、を備える液晶表示装置である。この液晶表示装置において、液晶パネルの光透過率は、１３％以上であってもよい。なお、補色関係とは、色相環で相対する（すなわち、対向する側に互いに位置する）関係にある二色をいう。
【００１０】
例えば、光吸収層は、その光吸収率に関し、波長領域５８０〜７８０ｎｍの光吸収率（Ａ）に対する、波長領域４００〜４８０ｎｍの光吸収率（Ｂ）の割合（Ｂ）／（Ａ）が、２倍以上であってもよい。
【００１１】
このような光吸収層は、着色フィルムであってもよく、さらに１／４波長板を含んでいてもよい。１／４波長板を含む場合、１／４波長板は、着色フィルムの着色光源側または液晶パネル側のいずれか一方の面に、接着により配設されてもよい。また、着色フィルムの液晶パネル側に１／４波長板が配設される場合、通常、着色フィルムは、等方性であるか、または液晶パネルの偏光板の光軸と一致している一軸性である場合が多い。
【００１２】
また、光吸収層は、着色された１／４波長板であってもよく、この場合、この着色１／４波長板が、接着により、液晶パネルの着色光源側に配設された偏光板と隣接して配設されていてもよい。
【００１３】
本発明は、前記液晶表示装置を用いた車載用インフォメーションパネルを包含する。
【発明の効果】
【００１４】
本発明では、特定の光吸収層を、液晶パネルと着色光源の間に配設して液晶表示装置を形成するため、液晶表示装置の輝度低下を防ぐだけでなく、外光による表示部分の白色化を防止できる。
特に、着色光源からの着色光と、光吸収層の分光吸収率が特定の関係にある場合、液晶表示装置は、簡単な構成であっても、輝度低下と表示部分の白色化の双方を効率的に抑制することができる。
【発明を実施するための最良の形態】
【００１５】
この発明は、添付の図面を参考にした以下の好適な実施形態の説明から、より明瞭に理解される。図面は必ずしも一定の縮尺で示されておらず、本発明の原理を示す上で誇張したものになっている。また、添付図面において、複数の図面における同一の部品番号は、同一部分を示す。
【００１６】
以下、本発明の実施形態を図面にしたがって説明する。図１は、本発明の液晶表示装置の第１の実施形態を説明するための概略断面図である。
【００１７】
第１の実施形態において、液晶表示装置１０は、着色光源１１と、液晶パネル１５と、着色光源１１と液晶パネル１５の間に配設された光吸収層である着色フィルム１３とを備える。また、液晶パネル１５は、液晶層およびこの液晶層を挟んで両側に配設される一対の透明基材で構成された液晶セル１７と、この液晶セルを挟んで両側に配設される一対の偏光板、すなわち着色光源側の第１の偏光板１６と、表示部側の第２の偏光板１８とを備えている。
【００１８】
着色光源１１から出射された着色光は、着色フィルム１３を透過して液晶パネル１５へ入射後、液晶パネル１５におけるＯＮ／ＯＦＦ表示に基づいて表示面へと出射される。この着色光は、着色フィルム１３によりほとんど吸収されずに透過されるため、液晶表示装置の表示部分の輝度はほとんど低下しない。
【００１９】
一方で、表示面から入射する外光は、一旦液晶パネル１５へ入射した後、着色フィルム１３において、着色光源１１と補色関係にある波長領域の光が吸収される。その後着色光源で反射されて着色フィルム１３へ入射した光は、着色フィルム１３において、再び着色光源１１と補色関係にある波長領域の光が吸収される。
【００２０】
その結果、液晶表示装置がＯＮの際、外光が表示装置に対して入射しても、着色光源１１と補色関係にある波長領域の光が吸収されるので、外光によって生じる表示の白色化を有効に防止できるとともに、着色光源からの着色光は、吸収されずに透過するため、輝度の低下を防止しつつ、視認性を向上することができる。
【００２１】
図２は、本発明の液晶表示装置の第２の実施形態を説明するための概略断面図である。
第２の実施形態において、液晶表示装置２０は、着色光源１１と、液晶パネル１５と、着色光源１１と液晶パネル１５の間に配設された光吸収層である着色された１／４波長板（着色１／４波長板）２３とを備える。
【００２２】
液晶表示装置２０に対して入射する外光は、液晶パネルを経て着色１／４波長板に入射した後、着色１／４波長板２３において、着色光源１１と補色関係にある波長領域の光が吸収されるとともに、１／４波長回転して着色光源へ入射する。そして着色光源で反射され、着色１／４波長板２３において、再び着色光源１１と補色関係にある波長領域の光が吸収されるとともに、さらに１／４波長回転して液晶パネル１５へと入射する。
【００２３】
その結果、液晶表示装置２０へ入射した外光は、着色光源と補色関係にある波長領域の光が着色１／４波長板２３により吸収されるとともに、１／４波長ずつ、計１／２波長回転した光は偏光板により遮断されるため、外光によって生じる白色化をより高度に防止することができる。
【００２４】
また、着色１／４波長板２３は、着色光源からの着色光の波長領域にある光をあまり吸収しないため、液晶表示装置２０においても、全体の輝度を低下させることなく、外光によって生じていた表示部の白色化を有効に防止して視認性を向上できる。
【００２５】
また、図３および図４は、本発明の液晶表示装置の第３および第４の実施形態を説明するための概略断面図である。本発明は、光吸収層として、着色フィルムと１／４波長板とを別々に用いた液晶表示装置であってもよい。
【００２６】
まず、図３に示すように、第３の実施形態では、液晶表示装置３０は、着色光源１１と、液晶パネル１５とを備え、着色光源１１と液晶パネル１５の間には、光吸収層として、着色フィルム３３および１／４波長板３４が配設されている。この光吸収層では、液晶パネル側に着色フィルム３３が配設され、着色光源側に１／４波長板３４が配設されている。
【００２７】
液晶表示装置３０に対して入射する外光は、液晶パネルを経て着色フィルム３３へ入射し、着色光源１１と補色関係にある波長領域の光が吸収される。次に、残りの光が１／４波長板に入射し、１／４波長回転した後、着色光源へ入射し、着色光源で反射された後、１／４波長板３４において、再び１／４波長回転し、合計１／２波長回転した状態で着色フィルム３３に入射する。そして着色フィルム３３において、着色光源１１と補色関係にある波長領域の光がさらに吸収され、残りの光が液晶パネル１５へと入射する。
【００２８】
その結果、液晶表示装置３０へ入射した外光では、着色光源と補色関係にある波長領域の光が着色フィルム３３により吸収されるとともに、１／４波長板３４により１／２波長回転した光が偏光板により遮断されるため、正面部分における外光反射を低減できるだけでなく、外光によって生じる白色化を高度に防止して、視認性を向上できる。
【００２９】
なお、１／４波長板３４と着色フィルム３３とは、表面反射を低減できる観点から、接着されているのが好ましい。
【００３０】
また、図４に示すように、第４の実施形態の液晶表示装置４０では、光吸収層として、液晶パネル側に等方性の着色フィルム４３が配設され、着色光源側に１／４波長板４４が配設されている以外は、第３の実施形態の液晶表示装置３０と同様である。
【００３１】
液晶表示装置４０に対して入射する外光は、液晶パネルを経てまず１／４波長板４４に入射し、１／４波長回転した後、着色フィルム４３に入射する。そして着色フィルム４３で、着色光源１１と補色関係にある波長領域の光が吸収され着色光源へ入射する。次いで着色光源で反射された光は、着色フィルム４３に入射して、着色光源１１と補色関係にある波長領域の光がさらに吸収され、１／４波長板４４において、再び１／４波長回転し、合計１／２波長回転した状態で液晶パネル１５へと入射する。
【００３２】
すなわち、この液晶表示装置においても、外光から液晶表示装置４０へ入射する光は、着色フィルムにより着色光と補色関係にある波長領域の光の量が半分以下に減少するとともに、１／４波長板３４により１／２波長回転した光が偏光板により遮断される。そのため、表示部分の輝度の低下を抑制するとともに、外光によって生じる白色化を高度に防止して視認性を向上できる。
【００３３】
なお、この実施形態においても、１／４波長板４４と着色フィルム４３とは、表面反射を低減できる観点から、直接接着されているのが好ましい。
【００３４】
以下、各構成要素の詳細について、詳述する。
（液晶パネル）
液晶パネルは、液晶セルと、この液晶セルをはさんで両側に配設された一対の偏光板とを少なくとも備える。また、液晶セルは、透明基板とその間に封入された液晶層とで構成される。液晶パネルの光透過率は、着色光源の数を低減する観点から高いほうが好ましく、例えば、光透過率は１３％以上（例えば、１５〜５０％程度）であってもよく、より好ましくは１７〜４０％程度であってもよい。
【００３５】
液晶層は着色光源とともに用いることができる限り特に限定されず、ツイスト角が９０℃未満のＴＮ型液晶層であっても、ツイスト角が１８０〜２７０℃のＳＴＮ型液晶層であってもよい。
【００３６】
また、透明基板としては、公知または慣用のガラス透明基板、プラスチック透明基板を利用することができる。なお、液晶パネルには、必要に応じて、偏光板と液晶セルの間に位相差フィルムが配設されていてもよい。
【００３７】
（着色光源）
着色光源は、通常、点状光源であり、光吸収層が外光を効率よく吸収するとともに、光源からの輝度低下を防止できる観点から、ＬＥＤを用いることが多い。例えば、ＬＥＤは、波長のそろった単色光を出射できるため、光吸収層でＬＥＤからの波長領域とは異なる外光を吸収しつつ、ＬＥＤの波長領域の光を透過できるため、表示部分の輝度が低下するのを有効に防止することができる。
【００３８】
着色光源からの着色光の波長領域は、液晶表示装置に求められる色調に応じて適宜設定することができ、例えば、着色光の発光波長領域としては、赤色光としての６２０〜７８０ｎｍ程度、橙色光としての６００〜６２０ｎｍ程度、黄色光としての５８０〜６００ｎｍ程度、緑色光としての４９０〜５８０ｎｍ程度、青色光としての４５０〜４９０ｎｍ程度、藍色光としての４３０〜４５０ｎｍ程度、紫色光としての３８０〜４３０ｎｍ程度が挙げられる。これらの着色光を発生する着色光源は、単独で用いてもよいし、または二種以上を組み合わせて用いてもよい。また、それぞれの補色関係については、
【００３９】
これらの着色光のうち、光吸収層によって外光を吸収しつつ、表示部分の輝度の低下を防止する観点から、着色光源からの着色光の波長は、５８０〜７８０ｎｍ程度（好ましくは６００〜７８０ｎｍ程度）、４９０〜５８０ｎｍ程度（好ましくは５１０〜５７０ｎｍ程度）、または４３０〜５３０ｎｍ程度（好ましくは４３０〜５００ｎｍ程度）のいずれかであるのが好ましい。
【００４０】
（光吸収層）
光吸収層は、液晶パネルと着色光源との間に配設され、着色光源からの着色光と補色関係にある光を吸収できる限り特に限定されず、着色フィルム単独で形成してもよく、着色された１／４波長板単独で形成してもよく、着色フィルムと１／４波長板との双方を用いて形成してもよい。
【００４１】
着色フィルムとしては、公知または慣用の着色フィルムを用いることができ、このような着色フィルムは透明樹脂材料に対して、波長選択性の染顔料を混和して延伸することにより作製できる。透明樹脂材料としては、例えば、ポリオレフィン樹脂（ポリエチレン、ポリプロピレンなどの鎖状ポリオレフィンポリマー、シクロオレフィンポリマーなど）、ポリエチレンテレフタレート、ポリアミド、ポリ塩化ビニル、ポリビニルアルコール、ポリ酢酸ビニル、三酢酸セルロース、ポリカーボネート、ポリスチレン、ポリメチルメタクリレート、ポリスルホン、ポリエーテルスルホンなどが挙げられる。
【００４２】
染顔料としては、アゾ系染料、キサンテン系染料、キノリン系染料、トリフェニルメテン系染料、アントラキノン系染料、インジゴイド染料、アゾ系顔料、フタロシアニン系顔料などの有機顔料、各種無機顔料などが挙げられる。
【００４３】
例えば、着色１／４波長板としては、位相差層が単層または複数層積層された位相差フィルムなどが用いられる。このような位相差フィルムは、着色フィルムの項で述べた透明樹脂材料に対して上述した染顔料を混和して成形して未延伸フィルムを得て、次いで、この未延伸フィルムを一軸や二軸等で適宜延伸処理することにより形成することができる。
【００４４】
また、着色フィルムと１／４波長板を組み合わせる場合、１／４波長板は、上述した着色１／４波長板を形成するに際して、染顔料を混和することなく形成する以外は、着色１／４波長板と同様にして作製することができる。
【００４５】
なお、光吸収層において、１／４波長板が着色フィルムの着色光源側に配設される場合、着色フィルムの光軸は等方性であっても異方性であってもいずれでもよいが、着色フィルムの液晶パネル側に１／４波長板が配設される場合、１／４波長板と偏光板とを組み合わせて確実に外光を遮断するためには、着色フィルムの光軸が等方性であるのが好ましい。
【００４６】
光吸収層が吸収する波長領域は、着色光源からの着色光に応じて適宜設定することができる。
例えば、着色光源からの着色光の波長領域が５８０〜７８０ｎｍ程度である場合、光吸収層では、例えば、波長領域５８０〜７８０ｎｍの光吸収率（Ａ）に対する、波長領域４００〜４８０ｎｍの光吸収率（Ｂ）の割合（Ｂ）／（Ａ）は、例えば、２倍以上であってもよく、好ましくは３倍以上であってもよい。この値は、大きいほど表示装置の視認性を向上することができるが、経済的な観点から１００倍程度を上限値としてもよい。
【００４７】
また、着色光源からの着色光の波長領域が４９０〜５８０ｎｍ程度である場合、光吸収層では、例えば、波長領域４９０〜５８０ｎｍの光吸収率（Ｃ）に対する、波長領域７５０〜８００ｎｍの光吸収率（Ｄ）の割合（Ｄ）／（Ｃ）は、例えば、２倍以上であってもよく、好ましくは３倍以上であってもよい。この値は、大きいほど表示装置の視認性を向上することができるが、経済的な観点から１００倍程度を上限値としてもよい。
【００４８】
さらに、着色光源からの着色光の波長領域が４３０〜５３０ｎｍ程度である場合、光吸収では、例えば、波長領域４３０〜５３０ｎｍの光吸収率（Ｅ）に対する、波長領域５８０〜８００ｎｍの光吸収率（Ｆ）の割合（Ｆ）／（Ｅ）は、例えば、２倍以上であってもよく、好ましくは３倍以上であってもよい。この値は、大きいほど表示装置の視認性を向上することができるが、経済的な観点から１００倍程度を上限値としてもよい。
【産業上の利用可能性】
【００４９】
本発明の液晶表示装置は、外光によって生じる表示部分の白色化を有効に防止できるとともに、着色光源からの着色光に関しては輝度の低下を抑制することができるため、簡単な構成により、表示部分の視認性を向上することができる。
【００５０】
そのため、このような液晶表示装置は、インフォメーションディスプレイとして有用に用いることができ、例えば、車載用インフォメーションパネル、時計、計算機、ゲーム機、歩数計、ファクシミリ、電話機、オーディオ機器などの表示部分として有用であるほか、建築物に設けられた表示パネルとしても有効に用いることができる。
【実施例】
【００５１】
以下に、実施例に基づいて本発明をより詳細に説明するが、本発明はこれらの実施例によって限定されるものではない。
【００５２】
（実施例１）
ＬＥＤ（波長領域５８１〜５９５ｎｍ、（株）東芝製、「ＴＬＹＨ１１００Ｂ」）と、１／４波長板（（株）オプテス製、「ゼオノア」）と、着色フィルム（（株）東京舞台照明製、「Ｐｏｌｙ  Ｃｏｌｏｕｒ  Ｎｏ．３１」）と、液晶パネル（オプトレックス（株）製、光透過率２０％）とを図４に示す順で積層し、液晶表示装置を作製した。なお、１／４波長板と着色フィルムとの間は、アクリル系接着剤で接着し、空気層が入らないようにしている。
【００５３】
蛍光灯（照度４９４０Ｌｕｘ）下、ＬＥＤを点灯して輝度と色調を測定したところ、バックライト表面の輝度は５５０ｃｄ／ｍ２であり、色度座標は、ｘ：０．６１５、ｙ：０．３７７であった。なお、蛍光灯を点灯することなくＬＥＤを点灯した場合の色調は、色度座標ｘ：０．６０５、ｙ：０．３９４であった。すなわち、実施例１では、蛍光灯を点灯した場合と、蛍光灯を点灯しない場合との色度座標の変化がごくわずかであった。
【００５４】
（比較例１）
１／４波長板と着色フィルムとで構成される光吸収層を配設しない以外は実施例１と同様にして液晶表示装置を作製した。
蛍光灯（照度４９４０Ｌｕｘ）下、ＬＥＤを点灯して輝度と色調を測定したところ、バックライト表面の輝度は１３１３ｃｄ／ｍ２であり、色度座標は、ｘ：０．４５１、ｙ：０．４１２であった。なお、蛍光灯を点灯することなくＬＥＤを点灯した場合の色調は、色度座標ｘ：０．６０５、ｙ：０．３９４であった。すなわち、比較例１では、蛍光灯を点灯した場合と、蛍光灯を点灯しない場合とでは、色度座標が大きく変化した。
【００５５】
（実施例２）
ＬＥＤ（波長領域６０７〜６２１ｎｍ、（株）東芝製、「ＴＬＹＨ１１００Ｂ」）と、１／４波長板（（株）オプテス製、「ゼオノア」）と、着色フィルム（（株）東京舞台照明製、「Ｐｏｌｙ  Ｃｏｌｏｕｒ  Ｎｏ．３１」）と、液晶パネル（オプトレックス（株）製、光透過率２０％）とを図４に示す順で積層し、液晶表示装置を作製した。なお、１／４波長板と着色フィルムとの間は、アクリル系接着剤で接着し、空気層が入らないようにしている。
【００５６】
蛍光灯（照度４９４０Ｌｕｘ）下、ＬＥＤを点灯して輝度と色調を測定したところ、バックライト表面の輝度は６５１ｃｄ／ｍ２であり、色度座標は、ｘ：０．６６６、ｙ：０．３２９であった。なお、蛍光灯を点灯することなくＬＥＤを点灯した場合の色調は、色度座標ｘ：０．６７５、ｙ：０．３２４であった。すなわち、実施例２では、蛍光灯を点灯した場合と、蛍光灯を点灯しない場合との色度座標の変化がごくわずかであった。
【００５７】
（比較例２）
１／４波長板と着色フィルムとで構成される光吸収層を配設しない以外は実施例２と同様にして液晶表示装置を作製した。
蛍光灯（照度４９４０Ｌｕｘ）下、ＬＥＤを点灯して輝度と色調を測定したところ、バックライト表面の輝度は１３２０ｃｄ／ｍ２であり、色度座標は、ｘ：０．５１０、ｙ：０．３６９であった。なお、蛍光灯を点灯することなくＬＥＤを点灯した場合の色調は、色度座標ｘ：０．６７５、ｙ：０．３２４であった。すなわち、比較例１では、蛍光灯を点灯した場合と、蛍光灯を点灯しない場合とでは、色度座標が大きく変化した。
【００５８】
（比較例３）
光吸収層に代えて、スモークフィルム（（株）東京舞台照明製、「Ｐｏｌｙ  Ｃｏｌｏｕｒ  Ｎｏ．９５０」）を表示パネル表面に配設する以外は、実施例２と同様に液晶表示装置を作製した。
蛍光灯（照度４９４０Ｌｕｘ）下、ＬＥＤを点灯して輝度と色調を測定したところ、バックライト表面の輝度は６５１ｃｄ／ｍ２であり、色度座標は、ｘ：０．５４９、ｙ：０．３５３であった。なお、蛍光灯を点灯することなくＬＥＤを点灯した場合の色調は、色度座標ｘ：０．６７５、ｙ：０．３２４であった。すなわち、比較例３では、蛍光灯を点灯した場合と、蛍光灯を点灯しない場合とでは、色度座標が大きく変化した。
【００５９】
実施例１および２では、光吸収層を配設することにより、蛍光灯などの外光下であっても表示の白色化を抑えて、ＬＥＤの発光色をほとんど変化させることなく表示することができた。また、外光からの反射光による照り返しにより、輝度が過度に上昇することもなく、視認性は良好であった。
一方、光吸収層を配設しない比較例１および２では、いずれも、蛍光灯などの外光下において、色度座標が大きく変化するとともに、外光からの反射光による照り返しで輝度が過度に上昇し、表示の白色化がひどくなり、視認性が非常に悪化した。
また、また、スモークフィルムを使用した比較例３では、外光からの反射光によって生じる照り返しはある程度抑制できたが、色度座標が低下するとともに、輝度も低下したため視認性は良好ではなかった。
【００６０】
以上のとおり、図面を参照しながら本発明の好適な実施形態を説明したが、本発明の趣旨を逸脱しない範囲で、種々の追加、変更または削除が可能であり、そのようなものも本発明の範囲内に含まれる。
【図面の簡単な説明】
【００６１】
【図１】本発明の液晶表示装置の第１の実施形態を説明するための概略断面図である。
【図２】本発明の液晶表示装置の第２の実施形態を説明するための概略断面図である。
【図３】本発明の液晶表示装置の第３の実施形態を説明するための概略断面図である。
【図４】本発明の液晶表示装置の第４の実施形態を説明するための概略断面図である。
【符号の説明】
【００６２】
１０，２０，３０，４０…液晶表示装置
１１…着色光源
１３，３３，４３…着色フィルム
１５…液晶パネル
１６，１８…偏光板
１７…液晶セル
２３…着色１／４波長板
３４，４４…１／４波長板
【図１】
2010128265.tif 000003
【図２】
2010128265.tif 000004
【図３】
2010128265.tif 000005
【図４】
2010128265.tif 000006